(57)【要約】      （修正有）【課題】ペン型入力装置用のカメラで筆記内容を検出するための検出用マーカーが印刷された用紙に対して、ペンで筆記した際の筆記文字のかすれ具合や剥離の度合いなどを定量的に検査する検査装置を提供する。【解決手段】この検査装置１は、用紙Ｐが固定されるシャッフルプレート４と、アーム２とを含む。ボールペン５は前後方向に撓み変形可能な板ばね９を介してアーム２の一端に取り付けられ、板ばね９の外面には、ストレインゲージ１０が貼り付けられている。ストレインゲージ１０が発する検出信号は、随時ストレインチャート１１でチャート化される。そして、シャッフルプレート４を前後および左右方向に動かして、ボールペン５のペン先５ａにより用紙Ｐ上に線模様を描き、このときにストレインチャート１１で形成されたチャート線の歪の有無に基づいて、筆記文字のかすれ具合や検出用マーカー１４の用紙Ｐからの剥離度合い等を検知できる。【選択図】図１
2005114688.tif 000002
【特許請求の範囲】
【請求項１】
ペン型入力装置のカメラで筆記内容を検出するための検出用マーカーが印刷された用紙を検査対象物とし、該用紙上にボールペンで筆記した際の前記検出用マーカーの用紙からの剥離度合いや筆記文字のかすれ具合などを定量的に検査するための装置であって、
前後および左右方向にスライド移動可能に構成されて、上面に前記用紙が固定されるシャッフルプレートと、
前記シャッフルプレートの近傍に設置された治具に、左右方向に張り出すような姿勢で設置されたアームとを含み、
前記アームは、前記基台に上下方向に揺動可能に支持されており、前記シャッフルプレート上に位置するアームの一端側には、ペン先が下端に位置するような垂直姿勢でボールペンが装着されており、該アームの他端側には、該アームを略水平姿勢に保つためのバランサーが取り付けられており、
前記ボールペンは、前後方向に撓み変形可能な板ばねを介して前記アームの一端に取り付けられていて、該板ばねの外面には、該板ばねの撓み変形具合を測定するためのストレインゲージが取り付けられており、
前記ストレインゲージが発する検出信号は、随時ストレインチャートでチャート化されるようにしてあり、
前記シャッフルプレートを前後および左右方向に動かして、前記ボールペンのペン先により用紙上に線模様を描き、このときに前記ストレインチャートで形成されたチャート線の歪の有無に基づいて、前記検出用マーカーの用紙からの剥離度合いや筆記文字のかすれ具合などを検知できるようにしてあることを特徴とするペン型入力装置用の用紙検査装置。
【請求項２】
前記ボールペンの上端部、あるいは前記アームのボールペン側の一端部に、該ボールペンのペン先の用紙に対する筆圧を調整するための錘を備える請求項１記載のペン型入力装置用の用紙検査装置。
【発明の詳細な説明】
【技術分野】
【０００１】
本発明は、ペン型入力装置のカメラで筆記内容を検出するための多数個の微小なドットからなる検出用マーカーが印刷された用紙を検査対象物とし、該マーカーの用紙からの剥離性等を定量的に検査するための装置に関する。
【背景技術】
【０００２】
ペン型入力装置に用いる用紙に関し、特許文献１〜３には、筆記した文字などの位置や筆記方向などの筆記内容をペン型のペン型入力装置のカメラで検出するために、検出用マーカーが予め印刷された用紙が示されている。
【０００３】
【特許文献１】特表２００３−５００７７７号公報（段落番号００８３−００８７、図３）
【特許文献２】特表２００３−５００７７８号公報（段落番号００５７−００５９、図１）
【特許文献３】特表２００３−５０３９０５号公報（段落番号００５０−００５１、図１）
【０００４】
検出用マーカーは、直径が１００μｍ程度のドット形状であり、このマーカーがおおよそ３００μｍのピッチ間隔をもって用紙の全面に多数個印刷されている。なお、検出用マーカーは通常９００ｎｍ前後の近赤外線を吸収する色素を含んだインキで構成されている。ペン型入力装置でもって用紙に筆記した文字等の手書き情報は、装置から放出する近赤外線を、近赤外線吸収色素を含んだ前記検出マーカーが吸収して、ペン型入力装置のカメラで検出することにより筆記した内容の座標認識し、デジタル化した情報をパソコンなどの電子機器へ伝達する。
【０００５】
なお、前記色素は一定波長の近赤外線を吸収するものであれば特に限定はないが、耐光性が高く、溶剤に溶けない（液体によるにじみが少ない）などの諸特性から、通常は染料よりも顔料が好適に採用される。例えばカーボンブラックを数パーセント含有した紫外線硬化型、あるいは酸化重合型のオフセット印刷用インキがあげられる。紫外線硬化では検出用マーカーを印刷し、紫外線照射で硬化した際に用紙が反り返ることがあり、広くには酸化重合型インキを用いた手法が採用されている。
【発明の開示】
【発明が解決しようとする課題】
【０００６】
以上、述べたように、ペン型入力装置の用紙において、検出用マーカーの役割は重要不可欠なものである。検出用マーカーの印刷厚さは１μｍ以下と比較的薄いものであり、ペン型の装置で文字等を用紙に筆記しても特に凹凸を感じることはない。しかし、溶剤に不溶の顔料インキを用いているので、ミクロ的にはある大きさの顔料粒子がマーカー中に存在していることになる。さらには、顔料の他に、酸化重合性の樹脂も含まれているので、感覚的な凹凸をほとんど感じていないだけで、実質的には用紙の面上でマーカーのない部分とある部分にはごくわずかな凹凸が存在する。例えばペン型入力装置のペン先が、マーカーのない凹部から、マーカーの存在する凸部へ移動した際に、ペン先が凸部のマーカーに引っ掛かり、そのままマーカーを削ぎ落とすか、またはマーカーのペン先と直接接触した部分をはいでしまう問題があった。マーカーが用紙から剥離すると、筆記した文字の位置をカメラ機能部で認識することができず、手書き情報を電子機器へ送信するなどの、装置本来の目的を達成することができなくなる。また、剥離したマーカーはそのままペン先に“かす”として付着することが多く、かかるペン先に付着する“かす”はそのまま堆積しやすい。堆積した“かす”の量が増えると、ペンインキが出なくなり、用紙に文字等を筆記することができなってしまう。
【０００７】
そこで用紙の品質を管理するために、ある筆圧で筆記した場合に、どの程度のマーカー剥離が生じるかを定量的に検査する必要がある。ここで定量的にというのは、ペンでの筆記距離を意味し、どのくらいの筆記量で“かす”がペン先に付着するかを把握することが用紙に対する品質管理の点で重要である。しかしながら、従来では検出用マーカーがペン先に付着する度合いを検査する手法や装置はなく、用紙製造におけるプロセス管理の点で大きな課題を抱えていた。
【０００８】
本発明の目的は、ペン型入力装置用のカメラで筆記内容を検出するための検出用マーカーが印刷された用紙に対して、検出用マーカーの剥離度合いや筆記文字のかすれ具合などを定量的に検査することができる検査装置を提供することにある。
【課題を解決するための手段】
【０００９】
本発明は、図１に示すごとく、ペン型入力装置のカメラで筆記内容を検出するための検出用マーカー１４が印刷された用紙Ｐを検査対象物とし、該用紙Ｐ上にボールペンで筆記した際の検出用マーカー１４の用紙Ｐからの剥離度合いや筆記文字のかすれ具合などを定量的に検査するための装置１である。
【００１０】
この装置１は、前後および左右方向にスライド移動可能に構成されて、その上面に前記用紙が固定されるシャッフルプレート４と、シャッフルプレート４の近傍に設置された治具３に、左右方向に張り出すような姿勢で設置されたアーム２とを含む。前記アーム２は、基台８に上下方向に揺動可能に支持されており、前記シャッフルプレート４上に位置するアーム２の一端側には、ペン先５ａが下端に位置するような垂直姿勢でボールペン５が取り付けられており、該アーム２の他端側には、該アーム２を略水平に保つためのバランサー６が取り付けられている。
【００１１】
前記ボールペン５は、前後方向に撓み変形可能な板ばね９を介して前記アーム２の一端に取り付けられていて、該板ばね９の外面には、該板ばね９の撓み変形具合を測定するためのストレインゲージ１０が取り付けられている。このストレインゲージ１０が発する検出信号は、随時ストレインチャート１１でチャート化されるようにしてある。そして、前記シャッフルプレート４を前後および左右方向に動かして、前記ボールペン５のペン先５ａにより用紙Ｐ上に線模様を描き、このときにストレインチャート１１で形成されたチャート線の歪の有無に基づいて、検出用マーカー１４の用紙Ｐからの剥離度合いや筆記文字のかすれ具合などを検知できるようにしてある。
【００１２】
本発明におけるペン型入力装置の具体例としては、スウェーデンのアノト社が開発したデジタルペンを挙げることができる。図１に示すごとく、検出用マーカー１４は、多数個独立のドット１３からなるものであり、用紙Ｐ上の筆記可能な範囲内に分散して配置される。これらドット１３は、予め定めた規則にしたがって配置されており、この配置関係から用紙Ｐ上での位置（座標）が特定される。つまり、用紙Ｐ上の位置を示すためのパターンにドット１３は形成される。かかるドットパターンの具体例としては、アノト社の規格による所謂アノト・パターンを挙げることができ、これによれば先の用紙Ｐ上での位置情報だけでなく、用紙そのものの頁情報などもペン型入力装置を使って検知できる。検出用マーカー１４の形成方法としては、例えばオフセット印刷、スクリーン印刷、インクジェット印刷などの各種印刷方法を挙げることができる。なお、図１では、検出用マーカー１４を構成するドット１３はマトリクス状に配置されているが、これはアノト・パターンを模式的に示したものであり、実際のパターン配設はこれとは若干異なる。
【００１３】
具体的には、前記ボールペン５の上端部、あるいは前記アーム２のボールペン５側の一端部に、該ボールペン５のペン先５ａの用紙Ｐに対する筆圧を調整するための錘７を備えるものとすることができる。
【発明の効果】
【００１４】
本発明に係るペン型入力装置用の用紙によれば、前記シャッフルプレート４を前後および左右方向に動かして、前記ボールペン５のペン先５ａにより用紙Ｐ上に線模様を描く。このとき、ペン先５ａに検出用マーカー１４を構成するインキかすが付着していなければ、ボールペン５はスムーズに動くため、板ばね９の撓み具合は一定、すなわち板ばね９は左右方向に振幅せず、したがってストレインチャート１１で形成されるチャート線は、図２の符号ａに示すごとく、歪（ぎざぎざ）のないシャープなものとなる。これに対して、検出マーカー１４がペン先５ａに引っかかれて剥離し、同時にペン先５ａに該検出マーカー１４の剥離したかすが付着すると、ペン先５ａと用紙Ｐとの間の抵抗が大きくなるため、板ばね９は僅かに振幅することとなり、ストレインチャート１１で形成されるチャート線は、図２の符号ｂに示すごとく、歪のあるぎざぎざの波形となる。したがって、このぎざぎざが現れるタイミングを捉えることで、検出マーカー１４の印刷具合が把握できる。換言すれば、このぎざぎざの現れるタイミングで、ボールペン５を使って筆記操作した際に、該ボールペン５を不具合なく使用できる筆記距離を検出できる。しかるに用紙Ｐ上にボールペンで筆記した際の検出用マーカー１４の用紙Ｐからの剥離度合い、さらには筆記文字のかすれ具合などを、ボールペン５の筆記距離という具体的数値で以て、定量的に測定することが可能となる。
【００１５】
アーム２を上下方向に揺動可能な構成として、バランサー６でウエイトバランスを保ちながら、用紙Ｐ上に線を描くようにしたので、手でボールペン５を持って、用紙Ｐに筆記する際の人間の動きを忠実に再現できる。つまり、本発明の形態によれば、機械で用紙Ｐ上にペン先５ａを強制的に押し付けながら線を描く形態に比べて、忠実に人間の筆記動作を再現できる。以上より、実際の使用形態に近い態様で検査を行うことができるので、本発明に係る検査装置は信頼性に優れたものとなる。
【００１６】
前記ボールペン５の上端部、あるいは前記アーム２のボールペン５側の一端部に、該ボールペン５のペン先５ａの用紙Ｐに対する筆圧を調整するための錘７を設けてあると、この錘７を変更するだけで、筆圧の調整を容易に行うことができる。したがって、筆圧の異なる種々のケースを想定した検査を容易且つ迅速に行うことが可能となり、検査精度および検査能率の向上に寄与できる。
【発明を実施するための最良の形態】
【００１７】
本発明のペン型入力装置用の用紙検査装置の外観を図１に示す。図１において符号１は検査装置を示す。符号２はバランスモード（治具）３上に載置されたアームを、符号４はシャッフルプレートを示す。
【００１８】
アーム２は、四角柱状をなしており、その一端側には、ペン先５ａが下端に位置するような垂直姿勢でボールペン５が着脱可能に装着されている。アーム２の他端側には、ボールペン５との重量バランスをとり、該アーム２を略水平姿勢に保つためのバランサー６が取り付けられている。ボールペン５の上には、ボールペン５に筆圧相当の荷重をかけるための錘７が付いている。アーム２はその使用時において、通常はバランスモード３の上に設置される。
【００１９】
バランスモード３は、三角柱の形態をなし、四角柱状の基台８の上面に、その一側面が面接触するような姿勢で固定されている。バランスモード３の上方に位置する角部には、アーム２が上下方向に揺動可能に載置されている。バランスモード３は、前後方向に伸びるように基台８上に固定されており、アーム２は該バランスモード３の伸び方向に対して直角になるように、すなわち左右方向に伸びるような姿勢で載置される。
【００２０】
シャッフルプレート４は、前後および左右方向にスライド移動可能に構成されており、その上面に、検査対象物であるペン型入力装置用の用紙Ｐが載せられる。この用紙Ｐには、多数個のドット１３で構成される検出用マーカー１４が印刷されている。
【００２１】
しかるに、用紙Ｐをシャッフルプレート４の上に載せ、さらにボールペン５のペン先５ａを用紙に載せたうえで、シャッフルプレート４を前後左右にスライドさせることで、ボールペン５のペン先５ａが用紙Ｐの上に線を描くことができる。本実施形態では、アーム２を固定せず、バランスモード３上で該アーム２がウエイトバランスを保ちながら、ボールペン５による筆記操作がなされるようにしてあり、したがって、人が手でボールペン５を持ち、用紙Ｐ上に筆記する自然な動きを忠実に再現できるようにしてある点が着目される。
【００２２】
前記アーム２については、繰り返しの試験に耐えうるものであれば材質等に制限はなく、通常は硬質塩化ビニルなどのプラスチック材料や、アルミニウムやステンレス鋼材などの金属材料などが用いられる。また、形状にも大きな制限はなく、例えば図１に示すような四角柱のほか、円柱や三角柱などであってもよい。寸法としては、長さが１０cmから３０cm程度、太さが１cmから３cm程度が適切である。重さに関しては、重すぎるとボールペン５に過度な荷重を与えてしまい、適切なデータを得ることができなくなるため、金属材料をアーム２として用いる場合には、例えば中空状にして、重量を数十グラムから、１００グラム以下とすることが望ましい。
【００２３】
アーム２に設置されるボールペン５は、ペン型入力装置に内蔵されるボールペンをそのまま採用してもよいし、ペン先形状やペンインキなどがペン型入力装置と同等のものであれば、他のボールペンを代替して用いてもかまわない。ボールペン５の太さは0.５cmから２cm程度、重さは１０グラムから５０グラム程度であればよい。
【００２４】
バランスモード３は、上述のごとく、アーム２が上下方向にフレキシブルに動くことができるように設けた治具である。アーム２と同様に、バランスモード３についてもその材質に制限はなく、例えば硬質塩化ビニルなどのプラスチック材料や、アルミニウムやステンレス鋼材などの金属材料などを用いることができる。その太さや長さもアーム２のそれらに合わせた大きさでよく、極端に大きいものは装置１が不必要に大型化されたり、高重量になったりするので好ましくない。逆に小さすぎたり軽すぎたりするとアーム２を支えきれず、安定した測定をすることが困難になるので好ましくない。
【００２５】
ボールペン５を垂直の状態で保ちながら、そのペン先５ａを用紙Ｐに載せるためには、ボールペン５の長さ寸法に合わせてアーム２とバランスモード３とをレイアウトする必要がある。そこで、例えば図１にあるように、三角柱のバランスモードの下側に、高さを合わせるための基台８を設置してもよい。基台８は、アーム２とバランスモード３などを支えることができれば材質や形状などに制限はなく、装置１全体が必要以上の大きさにならない程度の大きさであることが望ましい。
【００２６】
後述のように、ボールペン５の上には、ペン先に筆圧相当の荷重をかけるための錘７が付いている。したがって、これらとバランスを保つために、バランサー６は、１００グラムから６００グラム程度の重量を示すことが必要である。材質としては、極力小型化を図るために、比重の高い金属材料が好ましい。金、白金などの貴金属や、アルミニウムなどの汎用金属のいずれでもかまわないが、貴金属は値段が高いこと、アルミニウムは比重が金属材料の中では低く、小型化の点で難があるので、例えばステンレス鋼などがバランサー６としては好適である。
【００２７】
図１に示すごとく、ボールペン５は、薄い板ばね９を介してアーム２に接続されている。この板ばね９は、左右方向に長い四角板形状であり、その板面が前後方向に向くような縦姿勢でアーム２の先端（右端）に埋設固定されており、したがって前後方向にのみ撓み変形が可能である。板ばね９の一方の板面には、該板ばね９の撓み変形具合を測定するためのストレインゲージ１０が貼り付けられている。符号１１は、ストレインチャート１１を示す。ストレインゲージ１０から発せられた検出信号は、コード１２を介してストレインチャート１１に随時送られ、該ストレインチャート１１でチャート化される。
【００２８】
板ばね９の先端側（右端側）には、通孔２１を有する円筒状のホルダー２０が固定されている。ホルダーの外周面には、通孔２１内に挿入されたボールペン５を締着固定するためのビス２２が設けられている。したがって、ビス２２によりホルダー２０の内面にボールペン５を押し付けることにより、確りとボールペン５をホルダー２０に固定できる。
【００２９】
以上のような検査装置１において、シャッフルプレート４を前後および左右方向にスライドさせると、シャッフルプレート４の上に載せた用紙Ｐに、ボールペン５が繰り返しの線を描く。ボールペン５のペン先５ａに何も付着せず、スムーズに直線を用紙Ｐ上に描く場合には、大きな抵抗は生じないが、ペン先５ａに“かす”が付着するとボールペン５やペン先５ａなどにかかる抵抗が増し、歪が生じる。“かす”が徐々にペン先５ａに堆積すると、ボールペン５にかかる歪はそれに応じて大きくなる。その発生した歪を板ばね９に貼付したストレインゲージ１０で読み取り、信号をストレインチャート１１に送信し、データ化するシステムである。ボールペン５とアーム２とを完全に固定してしまうと、ボールペン５が感知した歪を正確にストレインゲージ１０へ伝達することが困難となる。そこで、ボールペン５とアーム２の間には、適当なフレキシビリティーを有する板ばね９を介在させている。ボールペン５のペン先５ａにかすが付着し、堆積していくことで生じた歪がボールペン５を介して板ばね９に伝達し、板ばね９は歪の大きさに伴って撓むことになる。その撓みをストレインゲージ１０が検知して、検出信号を随時ストレインチャート１１に送信する。
【００３０】
板ばね９は、歪をかけることで撓む材質であれば特に制限はないが、紙のように、撓む性質があってもボールペンや錘などを支えきれず、よれたり、破れたりするものは不適当であり、これらの荷重を支えるだけの強度も合わせ持つことが必須となる。その点から板ばね９の材質は、アルミニウム、ステンレス鋼材などの金属材料を採用することが好ましい。板ばね９は、あまり厚いと撓みが少なくなり、薄すぎると強度が足りなくて、繰り返しの使用に耐えられず、金属疲労で折れてしまうので、おおよそ１mm程度の厚さであるものが望ましい。
【００３１】
また、図１に示すとおり、ボールペン５の上には、筆圧を調整するための錘７が設置されている。この錘７は、通常は１００グラムから５００グラム程度の重量を示すことが必要である。材質としては、前記バランサー６と同様で、極力小型化を図るために、比重の高い金属材料を用いることが好ましい。金、白金などの貴金属や、アルミニウムなどの汎用金属のいずれでもかまわないが、貴金属は値段が高いこと、アルミニウムは比重が金属材料の中では低く、小型化の点で難があるので、例えばステンレス鋼材などが好適である。
【００３２】
ストレインゲージ１０で検知したペン先５ａの抵抗からの歪は、ストレインチャート１１に送信され、そのチャートは図２に示すように記録される。ペン先５ａに何の抵抗もなく、特に問題がない場合には、歪は生じないのでストレインチャート１１はまっすぐな直線を描き、その様子は図２の符号ａに示す通りである。しかし、ペン先５ａに検出用マーカー１４が用紙Ｐから剥離することによって生じた“かす”が付着すると、ペン先５ａの抵抗が歪となる。かかる歪は、ストレインゲージ１０からストレインチャート１１へ伝達され、図２の符号ｂに示すような、ぎざぎざの線となる。このぎざぎざが出始めたときが、ペン先５ａに“かす”が堆積した時点となる。チャートの線の長さと、ボールペン５が用紙Ｐに書いた直線の距離は対応しているので、用紙Ｐ毎でこれらの距離を比較すれば、定量的に用紙Ｐの比較ができる。またぎざぎざの大きさで、ボールペン５が感知した歪の度合いも把握することができる。
【００３３】
従来では、ペン型入力装置や、一般のボールペンを用いて、検出用マーカーを印刷した用紙上に文字や線を書いてペン先に“かす”が堆積しているかを目視したり、“かす”の堆積物の影響でペン先からペンインキがでなくなり、文字が書けなくなるのを単に確認するのみであった。しかし、本発明の装置によれば、これらの不具合を数値化することも可能なので、定量的な品質管理ができる。
【実施例】
【００３４】
以下、実施例により、本発明を具体的に説明する。
【００３５】
市販の黒色ボールペンのペン先とは逆方向に、３cm立方で重さが２００グラムのステンレス製の錘７を取り付けたボールペン５を作製した。このボールペン５を、厚さが１mm、縦１cm、横４cmのアルミニウム板からなる板ばね９を介してアーム２の一端に取り付けた。板ばね９の板面には、ストレインゲージ１０を貼り付けた。アーム２は、中空状のステンレス製棒を、長さが３０cm、一辺が２cmの正四角柱の形状に加工してなるものとした。さらに、アーム２の他端には、５cm立方で、重さが３００グラムのステンレス製のバランサー６を溶着して取り付けた。
【００３６】
断面が一辺２cmの正三角形で、長さが８cmの三角柱のアルミニウム製バランスモード３を作製し、これを幅４cm、縦１０cm、高さ１０cmの基台８の上に載せた。幅２６cm、長さ３５cmのシャッフルプレート４の上に、アノト社指定の検出用マーカーを全面に印刷したＡ４サイズの用紙を載せ、前記アーム２と、バランスモード３および基台８を用いて、図１に示すように用紙検査用装置１を作製した。
【００３７】
ストレインゲージ１０とストレインチャート１１はリード線１２を介して接続した。そしてシャッフルプレート４を左右方向に、１cm毎分、前後方向には１０cm毎分の速度でスライドさせ、ボールペン５で用紙Ｐの筆記試験を行った。用紙Ｐには、図１のごとく、線が描かれた。またストレインチャート１１にも図２のように、ペンの動きに対応したチャートが描かれた。試験開始の始めは図２の符号ａに示すように、チャートは乱れのない直線を記録していた。しかし、ボールペン５が用紙の半分くらいまで線を筆記すると、チャートは図２の符号ｂに示すような、ぎざぎざ模様の乱れた線を描くようになった。試験を中断して、ボールペン５のペン先５ａを観察すると、検出用マーカー１４のこすれによると思われる“かす”が付着していた。また用紙Ｐに筆記されていた線も、試験の始めより後のほうが色は薄くて、かすれていた。なお、試験を中断した時点でボールペン５の直線を描く筆記距離は３００cmと見積もられた。
【００３８】
以上より、本発明の検査装置を用いることにより、検出用マーカー１４を印刷した用紙Ｐについて、筆記文字のかすれ具合や検出用マーカー１４の用紙Ｐからの剥離度合いを、筆記距離という具体的数値で以て、定量的に測定できることが確認できた。
【００３９】
上記実施形態では、バランスモード３を治具として採用し、該バランスモード３上にアーム２が揺動可能に載置されている形態を挙げたが、本発明はこれに限られず、例えば前後方向に伸びるヒンジ軸によってアーム２を上下方向に揺動可能に支持する形態としてもよく、要はアーム２が上下方向にフレキシブルに動けばよい。
【００４０】
ストレインチャート１１は、パーソナルコンピュータなどに代表される電子機器であってもよく、要はストレインゲージが発する検出信号を、随時チャート化するものであればよい。
【図面の簡単な説明】
【００４１】
【図１】本発明の用紙検査用装置の概観を示す図
【図２】ストレインチャートの様子を示す図
【符号の説明】
【００４２】
１  ペン型入力装置の検査装置
２  アーム
３  治具（バランスモード）
４  シャッフルプレート
５  ボールペン
６  バランサー
７  錘
８  基台
９  板ばね
１０  ストレインゲージ
１１  ストレインチャート
【図１】
2005114688.tif 000003
【図２】
2005114688.tif 000004